(57)【要約】無線移動機（Ａ）の要求制御部（３）が受信データの状態または内容を検出し、自局の受信データを最適化する必要性があるか否かを判断し、最適化に必要性があると判断すると、無線移動機（Ｂ）に対する変更要求の内容に対応する要求情報を生成し、無線移動機Ａは生成した要求情報を送信データに付加して無線移動機（Ｂ）に送信する。無線移動機（Ｂ）では要求検出部（３）において復調データから変更要求がある場合、要求制御部（３）によって要求内容に対応した音声処理部（４０）、画像処理部（６０）の制御を変更する。これにより、自局の受信データを自局の制御のみで変更する場合に比べて幅広い最適化が可能となる。
2003017656.tif 000002
【特許請求の範囲】
【請求項１】
相手局から送信されたデータを受信する受信部（１１）、
前記受信部で受信したデータを出力する出力部（４０，６０）、
前記受信部で受信したデータの状態に基づいて、前記相手局の送信データの状態に対する変更要求情報を生成する制御部（３）、および
前記制御部で生成された前記変更要求情報を前記相手局へ送信する送信部（１２）を備えたことを特徴とする、無線移動機。
【請求項２】
前記受信部が相手局から受信するデータは音声データであり、
前記制御部は前記音声データの音量または音質の状態を変更する変更要求情報を生成することを特徴とする、請求項１に記載の無線移動機。
【請求項３】
前記受信部が相手局から受信するデータは画像データであり、
前記制御部は前記画像データの画質の状態を変更する変更要求情報を生成することを特徴とする、請求項１に記載の無線移動機。
【請求項４】
相手局から送信されたデータを受信する受信部（１１）、
前記受信部で受信したデータを出力する出力部（４０，６０）、
前記相手局へ送信する音声データの状態を検出する検出部（２）、
前記検出部で検出したデータの状態に基づいて、前記相手局の送信データの状態に対する変更要求情報を生成する制御部（３）、および
前記制御部で生成された前記変更要求情報を前記相手局へ送信する送信部（１２）を備えたことを特徴とする、無線移動機。
【請求項５】
前記受信部が相手局から受信するデータは音声データであり、
前記制御部は前記音声データの音量または音質の状態を変更する変更要求情報を生成することを特徴とする、請求項４に記載の無線移動機。
【請求項６】
相手局から送信されたデータを受信する受信部（１１）、
前記受信部で受信したデータを出力する出力部（４０，６０）、
前記相手局の送信データの状態を設定する操作部（５）、
前記受信部で受信したデータの状態に基づいて、前記相手局の送信データの状態に対する変更要求情報を生成する制御部（３）、および
前記制御部で生成された前記変更要求情報を前記相手局へ送信する送信部（１２）を備えたことを特徴とする、無線移動機。
【請求項７】
前記受信部が相手局から受信するデータは音声データであり、
前記制御部は前記音声データの音量または音質の状態を変更する変更要求情報を生成することを特徴とする、請求項６に記載の無線移動機。
【請求項８】
前記受信部が相手局から受信するデータは画像データであり、
前記制御部は前記画像データの画質の状態を変更する変更要求情報を生成することを特徴とする、請求項６に記載の無線移動機。
【請求項９】
相手局から送信されたデータを受信する受信部（１１）、
前記受信部で受信したデータを出力する出力部（４０，６０）、
所望の受信データの状態を記憶する状態記憶部（３０）、
前記状態記憶部の記憶内容に基づいて、前記相手局送信データの状態に対する変更要求情報を生成する制御部（３）、および
前記制御部で生成した前記変更要求情報を前記相手局へ送信する送信部（１２）を備えたことを特徴とする、無線移動機。
【請求項１０】
前記受信部が相手局から受信するデータは音声データであり、
前記制御部は前記音声データの音量または音質の状態を変更する変更要求情報を生成することを特徴とする、請求項９に記載の無線移動機。
【請求項１１】
前記受信部が相手局から受信するデータは画像データであり、
前記制御部は前記画像データの画質の状態を変更する変更要求情報を生成することを特徴とする、請求項９に記載の無線移動機。
【請求項１２】
相手局へ所定状態の送信データを送信する送信部（１２）、
前記相手局から送信されたデータを受信する受信部（１１）、
前記受信部が受信したデータから変更要求情報を検出する検出部（２）、および
前記検出部で検出した変更要求情報に基づいて、前記送信部から送信する送信データの状態を変更する制御部（３）を備えたことを特徴とする、無線移動機。
【発明の詳細な説明】
技術分野
この発明は、無線移動機に関する。より特定的には、この発明は携帯電話機に代表される無線移動機に関する。
背景技術
図１０は従来の携帯電話機の概略ブロック図である。図１０において、無線部１は、アンテナ８で受信された受信信号の復調およびアンテナ８に送出する送信信号の変調を行う。制御部１０は携帯電話機全体の制御を行うものであり、この制御部１０には音響部４と操作部５と表示部６とが接続されている。音響部４はマイクロホンやスピーカを含み、操作部５は操作キーを含み、表示部６は液晶表示器などを含む。
図１０に示した従来の携帯電話機において、受信した音声の音量や音質あるいは画像の画質などのデータが希望する状態と異なる場合、すなわち受信データの状態を最適化したい場合、携帯電話機の使用者は操作部５にて該当するパラメータを変更する必要があった。この場合、制御部１０は指示された変更要求に応じて音響部４または表示部６の制御を行う。
従来の携帯電話機は上述のごとく構成されているため、携帯電話機の使用者による受信データの最適化は、自局の移動機でしか設定することができない。したがって、相手局が自局の希望するデータを送信していない場合、その効果を得ることは困難である。
発明の開示
それゆえに、この発明の主たる目的は、自局の移動機の受信データが所望する状態と異なる場合、相手局に対して送信データ内容の変更要求を送信することで、相手局から送信されるデータを制御し、自局の受信データを最適化する機能を備えた無線移動機を提供することである。
この発明は、相手局から送信されたデータを受信する受信部と、受信部で受信したデータを出力する出力部と、受信部で受信したデータの状態に基づいて、相手局の送信データの状態に対する変更要求情報を生成する制御部と、制御部で生成された変更要求情報を相手局へ送信する送信部を備えたことを特徴とする。
したがって、この発明によれば、相手局からの変更指示に基づいて出力回路の出力を制御できるので、自局の受信データを自局の制御のみで変更する場合に比べて幅広い最適化が可能となる。
他の発明は、相手局から送信されたデータを受信する受信部と、受信部で受信したデータを出力する出力部と、相手局へ送信する音声データの状態を検出する検出部と、検出部で検出したデータの状態に基づいて、相手局の送信データの状態に対する変更要求情報を生成する制御部と、制御部で生成された変更要求情報を相手局へ送信する送信部を備えたことを特徴とする。
これにより、相手局からの変更指示に基づいて音声出力を最適化できる。
さらに、他の発明は、相手局から送信されたデータを受信する受信部と、受信部で受信したデータを出力する出力部と、相手局の送信データの状態を設定する操作部と、受信部で受信したデータの状態に基づいて、相手局の送信データの状態に対する変更要求情報を生成する制御部と、制御部で生成された変更要求情報を相手局へ送信する送信部を備えたことを特徴とする。
これにより、自局の受信データを最適化する機能を持たせることができる。
さらに、他の発明は、相手局から送信されたデータを受信する受信部と、受信部で受信したデータを出力する出力部と、所望の受信データの状態を記憶する状態記憶部と、状態記憶部の記憶内容に基づいて、相手局送信データの状態に対する変更要求情報を生成する制御部と、制御部で生成した更要求情報を相手局へ送信する送信部とを備えたことを特徴とする。
また、受信部が相手局から受信するデータは音声データであり、制御部は音声データの音量または音質の状態を変更する変更要求情報を生成することを特徴とする。
これにより、キー操作なしに受話音量を最適化できる。
また、受信部が相手局から受信するデータは画像データであり、制御部は画像データの画質の状態を変更する変更要求情報を生成することを特徴とする。
これにより、画像出力部の画像の位置と解像度と輝度とを最適化できる。
さらに、他の発明は、相手局へ所定状態の送信データを送信する送信部と、相手局から送信されたデータを受信する受信部と、受信部が受信したデータから変更要求情報を検出する検出部と、検出部で検出した変更要求情報に基づいて、送信部から送信する送信データの状態を変更する制御部を備えたことを特徴とする。
発明を実施するための最良の形態
図１はこの発明の第１の実施例の無線移動機の概略ブロック図である。図１において、無線移動機は無線部１と、要求検出部２と、要求制御部３と、音声処理部４０と、マイクロホン４１と、レシーバ４２と、操作部５と、画像処理部６０と、表示部６１と、撮像部６２と、アンテナ８とから構成されている。無線部１はアンテナ８で受信された受信信号の復調およびアンテナ８に送出する送信信号の変調を行う。要求検出部２は相手局からの変更要求情報を検出する。
要求制御部３は送信時には自局の状態に応じて相手局に対する変更要求情報を生成し、受信時には要求検出部３にて検出した相手局からの変更指示に基づいて音声処理部４０や画像処理部６０の制御を行う。要求検出部２と要求制御部３はＣＰＵまたはハードウェアロジックによって実現できる。音声処理部４０は音声の音質、音量を変更するための制御を行うものであり、マイクロホン４１とレシーバ４２が接続されている。操作部５は操作キーを含み、画像処理部６０は表示すべき画像および撮像された画像の制御を行うものであり、表示部６１と撮像部６２が接続されている。撮像部６２はカメラなどを含む。
図２は図１に示した無線移動機同士で基地局を介して通信する例を示し、図３は図２に示した無線移動機Ａの動作を示すフローチャートであり、図４は変更要求のデータ形式を示す図である。
図１〜図４を参照して、この発明の一実施例の動作について説明する。たとえば、図２に示すように無線移動機Ａと無線移動機Ｂとが基地局２０を介して通信している場合、無線移動機Ａは要求制御部３が受信データの状態または内容を検出し、自局の受信データを最適化する必要性があるか否かを判断する。要求制御部３は最適化に必要性があると判断すると、無線移動機Ｂに対する変更要求の内容に対応する要求情報を生成する。そして、無線移動機Ａは生成した要求情報を送信データに付加して無線移動機Ｂに送信する。
無線移動機Ｂでは要求検出部３において復調データから変更要求の有無を検出する。無線移動機Ａからの変更要求がある場合、無線移動機Ｂは要求制御部４によって要求内容に対応した音声処理部４０、画像処理部６０の制御を変更する。これにより、無線移動機Ａの受信データを無線移動機Ｂから送信される段階で最適化することができる。
図３および図４を参照して、より具体的に説明すると、無線移動機Ａの要求制御部３は図３に示すように、受信データから音量／音質／画質の品質状態を検出する。音量の場合はレベルの大小、音質の場合は高音／低音のレベル、また画質の場合は画像の位置および解像度、輝度を検出する。要求制御部３は音量／音質／画質の検出結果が既定値の範囲外であると検出すると、対応する変更要求の生成を行う。既定値はユーザによって予め設定された設定値またはキー操作による設定値でもよい。
変更要求のデータ形式は図４に示すように、変更要求の有無と変更要求内容とからなっている。変更要求の有無は音量／音質／画質のパラメータごとに変更の有無を示す情報であり、変更要求内容は音量を上げる／下げる、高音を上げる／下げる、低音を上げる／下げる、輝度を明るく／暗く、解像度を上げる／下げるなどである。
このようにして無線移動機Ａで生成された変更要求は無線移動機Ａ〜無線移動機Ｂに送信され、無線移動機Ｂは受信データから変更要求を検出し、変更要求内容に基づいて音量／音質／画質の制御を変更する。
上述のごとく、この実施例によれば、無線移動機ＡおよびＢのいずれか一方で自局の受信データを最適化する必要性があると判断すると、変更要求の内容に対応する要求情報を生成して送信データに付加して送信し、他方では変更要求があることを判断すると、要求内容に対応した変更のための制御を行うようにしたので、自局のみで受信データを調整するより、出力をより良く最適化することができる。すなわち、音声処理部４０の音量と音質とを最適化し、画像処理部６０に表示される画像の位置と解像度と輝度とを最適化できる。
図５はこの発明の第２の実施例の無線移動機を示すブロック図である。図５において、この実施例は図１に示した実施例にさらに音声検出部７を設けたものである。相手の声が聞こえ難い、すなわち、受話音量が小さいと使用者の音声レベルは一般に大きくなる。これを利用して音声検出部７は音声処理部４０の出力を検出することにより、無線移動機の使用者の音声レベルを測定し、その結果をもとに相手局に対する送話音声レベルの変更要求を生成する。
このように、相手局の制御に自局の使用者の音声レベルを使用することができる。たとえば、無線移動機Ａではマイクロホン４１から入力された使用者の音声レベルを音声検出部７で測定し、無線移動機Ａの要求制御部３は検出した音声レベルがあるしきい値より大きい場合、無線移動機Ｂに対して送話音声レベルを上げる変更要求情報を生成し、無線移動機Ｂへの送信データに付加する。無線移動機Ｂは復調データに含まれる変更要求情報を検出し、その内容に基づいて音声処理部４０の送話音量設定を変更する。これにより、無線移動機Ａは通話中に何の操作もなく受話音量の最適化を行うことができる。なお、音声検出部７は背景雑音を検出し、このレベルが大きいときに相手局の送話レベルを上げるよう制御するようにしてもよい。
図６はこの発明の第３の実施例の無線移動機を示すブロック図である。この実施例は、無線移動機の使用者の操作部５でのキー操作入力をもとに相手局に対する変更要求を生成するようにしたものである。この場合、相手局の制御に自局の使用者のキー操作を使用する。これにより、無線移動機Ａの使用者が現在の受信データの状態を変更したい場合、操作キーにて対応するパラメータの設定を変えることができる。
この場合、無線移動機Ａは操作部５で認知した内容に基づいて無線移動機Ｂに対する変更要求情報を生成し、無線移動機Ｂへの送信データに付加する。無線移動機Ｂは復調データに含まれる変更要求情報を検出し、その内容に基づいて音声処理部５０、画像処理部６０の制御を変更する。これにより、無線移動機Ａの使用者は受信データを無線移動機Ｂから送信される段階で最適化することができる。
より具体的には、パラメータとして音量／音質／画質を使用し、使用者がこれらのパラメータを操作部５にて変更することが可能である。要求制御部３には図７に示すように、変更要求種類記憶部３１と音量変更内容記憶部３２と音質変更内容記憶部３３と画質内容記憶部３４とを含む変更内容記憶部３０が内蔵されている。たとえば、通話中に受話音量を大きくする場合、操作部５によって変更要求種類の音量を選択する。変更要求種類記憶部３１には音量／音質／画質に対応する操作キーの内容が記憶されている。
次に、具体的な変更要求内容を選択する。音量変更内容記憶部３２には音量を上げる場合と下げる場合の操作キーの内容が記憶されている。同様にして、音質変更内容記憶部３３には高音／低音のレベルの増減に対応する操作キーの内容が記憶されている。さらに、画質変更内容記憶部３４には輝度の明暗に対応する操作キー、解像度の増減に対応する操作キーおよび画像の中心位置に対応する操作キーの内容が記憶されている。要求制御部３はこれらの変更内容記憶部３０に記憶されている記憶内容に基づいてパラメータを変更するための制御を行う。
図８はこの発明の第４の実施例の無線移動機を示すブロック図である。この実施例は、自局の受信データの希望状態を記憶しておき、その内容をもとに相手局に対応する変更要求を生成するものである。この目的で図１に示した構成に加えて受信データの希望状態を記憶するメモリ部９が設けられている。
メモリ部９は図９に示すように、音量希望状態記憶部９１と、音質希望状態記憶部９２と、画質希望状態記憶部９３とを含む。音量希望状態記憶部９１は希望する受話レベルが記憶されており、この希望する受話レベルはたとえば１０段階にテーブル化されており、その中のある値を選択することが可能である。
同様に、音質希望状態記憶部９２には受話音の高音レベルおよび低音レベルが記憶されており、その値は数段階にテーブル化されている。画質希望状態記憶部９３には、画像の希望する輝度、解像度および中心位置が記憶されており、その値はそれぞれ数段階にテーブル化されている。
このような構成では、無線移動機Ａにおいて使用者は好みの受信データの状態をメモリ部９に予め設定しておくことができる。そして、無線移動機Ａの要求制御部３は無線移動機Ｂとの通信中に受信データの状態が希望状態と異なると判断した場合、メモリ部９に記憶されている希望状態に基づいて、無線移動機Ｂに対する変更要求情報を生成し、無線移動機Ｂへの送信データに付加する。無線移動機Ｂは、復調データに含まれる変更要求情報を検出し、その内容に基づいて音響部５と表示部７の制御を変更する。これにより、無線移動機Ａの受信データを使用者が予め設定している状態に最適化することができる。
産業上の利用可能性
この発明の無線移動機は、自局の無線移動機の受信データが異なる場合、相手局に対する変更要求情報を生成し、相手局への送信データに付加して送信することにより、相手局から自局へ送信されるデータを制御し、自局の受信データを最適化することにより自局の受信データを自局の制御のみで変更する場合に比べて幅広い最適化が可能となり、携帯電話機に有用に用いることができる。
【図面の簡単な説明】
図１はこの発明の第１の実施例の無線移動機の概略ブロック図である。
図２は図１に示した無線移動機同士で基地局を介して通信する例を示す図である。
図３は図２に示した無線移動機Ａの動作を示すフローチャートである。
図４は変更要求のデータ形式を示す図である。
図５はこの発明の第２の実施例の無線移動機を示すブロック図である。
図６はこの発明の第３の実施例の無線移動機を示すブロック図である。
図７は変更内容記憶部に含まれる変更要求種類記憶部と音量変更内容記憶部と音質変更内容記憶部と画質内容記憶部とを示す図である。
図８はこの発明の第４の実施例の無線移動機を示すブロック図である。
図９は希望状態記憶部に含まれる音量希望状態記憶部と、音質希望状態記憶部と、画質希望状態記憶部とを示す図である。
図１０は従来の無線移動機の概略ブロック図である。
【図１】
2003017656.tif 000003
【図２】
2003017656.tif 000004
【図３】
2003017656.tif 000005
【図４】
2003017656.tif 000006
【図５】
2003017656.tif 000007
【図６】
2003017656.tif 000008
【図７】
2003017656.tif 000009
【図８】
2003017656.tif 000010
【図９】
2003017656.tif 000011
【図１０】
2003017656.tif 000012
【国際調査報告】
2003017656.tif 000013
2003017656.tif 000014
2003017656.tif 000015